(57)【要約】      （修正有）【課題】洋式便器で、便座を上げて男子が立って行う小用時に発生する尿飛び散り、垂れによる汚れを、便器本体、周辺床面等広範囲に渡り防止する吸水シートを提供する。【解決手段】洋式便器が設置された床面を覆う吸水床面シート１と洋式便器本体上面縁周部に粘着シートで固定し、便器本体開口部から便器全体、床面まで届く吸水カバーシートとを組み合わせて配置し、吸水シートが便器本体開口部を除き便器本体とその周囲、さらに尿が飛び散る可能性ある床面を広範囲に被覆できるシートを提供する。【選択図】図１
2020198923.tif 000002
【特許請求の範囲】
【請求項１】
洋式便器本体及びその周辺に設置する吸水シートにおいて、上辺中央にＵ字形打
抜き部を有する吸水床面シートと、中央上部に前記便器本体開口部に合わせた楕
円形状打抜き部を有する前記便器本体を覆う吸水カバーシートと、前記吸水カバ
ーシートと前記便器本体上面縁周部とを固定する両面粘着シートからなり、取り
付けられた前記吸水シートが、前記便器本体、周辺床面を被覆し、尿汚れを防止
することを特徴とする洋式トイレフルカバーシート。
【請求項２】
前記便器本体上面周縁部に固定された前記両面粘着シートが、前記便器本体上面
縁周部に連なる前記便器本体外周周縁部に折り込まれ固定され、上から設置され
る吸水カバーシートが、前記便器外周周縁部に密着し、垂直方向に垂れることを
特徴とする請求項1に記載の洋式トイレフルカバーシート。
【請求項３】
前記両面粘着シートが外周にスリットを有し、前記便器本体上面周縁部に固定さ
れた前記両面粘着シートが、前記便器本体外周周縁部に折り込まれ密着すること
を特徴とする請求項１〜２に記載の洋式トイレフルカバーシート。
【請求項４】
前記両面粘着シートが前記外周スリット下部に折れ目線を有し、前記便器本体上
面周縁部に固定された前記両面粘着シートが、前記便器本体外周周縁部に折り込
まれ密着することを特徴とする請求項１〜３に記載の洋式トイレフルカバーシー
ト。
【請求項５】
前記両面粘着シートが内周にスリットと折れ目線とを有し、前記便器本体上面周
縁部に固定された前記両面粘着シートが、前記便器本体内面周縁部に折り込まれ
密着することを特徴とする請求項１〜４に記載の洋式トイレフルカバーシート。
【発明の詳細な説明】
【技術分野】
【０００１】
この発明は、洋式便器で便座を上げて男子が立って行う小用時に発生する尿によ
る汚れを、便器本体、周辺床等を広範囲に渡り覆い防止すること特徴とする吸水
シートに関する。
【背景技術】
【０００２】
洋式便器の普及により、男子小用時の際便座を上げて立って小用するよることが
大半であるが、立って小用する場合は便器及びその周辺に相当量の尿が飛散し汚
れることが多い。特に高齢者は、尿の切れが悪く便器外に垂れ流し、便器、周り
の床面、トイレマット等を著しく汚してしまう場合があり、その都度清掃を行う
必要がある。
【０００３】
従来より、洋式便器の尿汚れを防止する、特に男子が立って小用する場合の尿の
飛散による便器の汚れ防止の方法が種々提案されている。
【先行技術文献】
【特許文献】
【０００４】
【特許文献１】特許公開２００２−２０９７９９
【特許文献２】特許公開２０１２−１９２５特許文献１のしずく受けシート付足元マットは、足元マットと尿しずく受けシートの二つを組み合わせることを特徴とし、洋式便器下部の床全体をカバーするＵ字形状の滑り止め付足元マットで、内側Ｕ字部分にゴムを使用し便器下部との密着性を高め、尿受けには不織布を素材とした抗菌・防臭の特殊加工をした尿しずく受けシートを組み合わせ、尿しずくたれや飛びちりによる便器外側下部や床の汚れを軽減するとしている。
【０００５】
特許文献２の洋式便器用尿飛散防止具は、便座を開ける操作だけで尿飛散防止状
態となって洋式便器周りの尿汚染を防止できるとし、便座を後方に跳ね上げた状
態で、便座と便器本体の左右両面に形成される略扇状の開口部を、洋式便器の外
側から開閉可能な広さを有する左右一対の略扇状パネルを備え、少なくとも内面
側に吸水シートを備えていることを特徴とするとしている。
【発明の概要】
【発明が解決しようとする課題】
【０００６】
特許文献１，２共に洋式便器の外側に飛び散り、垂れを防ぐシート、パネル等を
設置し、又捕獲機能を持つ不織布、吸水シートを使用し便器、その周辺の汚染を
防ぐとしている。しかし  排尿力の弱く正確な位置に排尿できない高齢者等はこ
れら防止範囲を超えて大量の尿を飛び散らせ、垂れ流してしまう。又尿は  浸み
込み、浸透しやすく、隙間があると伝わって回り、防止具の内側、下、便器の隙
間等に回り込み、汚染後の清掃負荷を高めてしまう。他の文献にも、洋式便器の
尿による汚れ防止方法が種々提案されている。便器の上面部に吸水シートを貼る
物、便器周囲を囲う物、便器上面部から手前に足元まで被覆材で覆う物等である
が、いずれも便器本体を含め実際に尿が飛び散る範囲をカバーできておらず、又
は隙間があるため尿が浸透し便器、その周辺を汚染することになる。尿の浸み込
み、伝い漏れは便器その周辺床の隙間に入り込み広がり、汚染後の清掃をより難
しくしている。このように、洋式便器で便座を上げて男子が立って行う小用時に
発生する尿飛び散り、垂れよる汚れを、便器本体、周辺床面等広範囲に渡り防止
する吸水シートの提供を課題とする。
【課題を解決するための手段】
【０００７】
以上の課題を解決するために、便器が設置された床面を覆う吸水床面シートと洋
式便器本体上面周縁部に粘着シートで固定し、便器本体開口部から便器全体、床
面まで届く吸水カバーシートを組み合わせて設置し、吸水シートが便器本体開口
部を除き便器本体とその周囲、さらに尿が飛び散る可能性ある床面を被覆できる
吸水シートを提供する。  
【発明の効果】
【０００８】
本発明は、吸水シートが便器本体開口部を除く便器本体、その周囲、床面を広範
囲に渡り被覆できるので、便座を上げた状態で男子が立って小用を行うとき発生
する尿の飛び散り、垂れ等を捕獲し、吸収し、取り込み保持出来、尿汚れを防止
できる。又高齢者等による多量で広範囲の尿漏れ、飛び散りも捕獲しやすく、又
吸水シートが全体を覆っているので、隙間からの浸み込み、伝い漏れ、滲みが発
生し辛く、便器と床の隙間等掃除に手間の掛かる箇所への尿の侵入を防げ、清潔
なトイレ環境を維持できる。又便座を下して使用する場合も、吸水シート取り付
けた状態でそのまま使用が可能である。
【図面の簡単な説明】
【０００９】
【図１】吸水床面シート平面図
【図２】吸水カバーシート平面図
【図３】両面粘着シート平面図
【図４】吸水床面シート設置斜視図
【図５】両面粘着シート設置斜視図
【図６】吸水カバーシート設置斜視図
【図７】吸水カバーシート設置平面図
【図８】トイレフルカバーシート設置構造断面図
【図９】両面粘着シート構造断面図
【発明を実施するための形態】
【００１０】
以下本発明の実施形態を、図面を参照に説明する。
図１は、吸水床面シート１の平面図である。シート上辺中央にＵ字形打抜き部１
ａが配置され、通常のトイレマットよりＵ字の深さを深くして、洋式便器本体の
後方奥迄、吸水床面シート１を入れて設置出来、床面汚れを広範囲にカバーする
ことが出来る。吸水床面シ―ト１材質は、表面層はオレフィン系、ポリエステル
系不織布で、中間層はパルプ、オレフィン系、ポリエステル系不織布と高分子吸
収ポリマーを混合したものか、高分吸収ポリマーを不織布繊維と合わせてシート
状にしたもので、共に水分を吸収し保持する性能を有している。裏面には、吸収
した水分を床面に浸透させない防水性能があるオレフィン系フィルムをラミネー
トしている。
【００１１】
図２は、吸水カバーシート２の平面図である。吸水カバーシート２上部に楕円形
状打抜き部２ａを配置し、洋式便器本体に設置する時に、便器本体開口部の便器
本体上面周縁部に合わせて設置することができる。楕円形状打抜き部２ａ円周に、
間隔を開けて内円スリット２ｂを配置しておけば、便器本体に設置時に便器本体
開口部内側に合わせ馴染んで密着し易くなる。又吸水カバーシート２上部の上部
スリット２ｃにより、便器本体上部の便座付け根部分の吸水カバーシート２の設
置をスムーズにできる。吸水カバ−シート２の材質は、水分吸収性に優れたレー
ヨン、パルプ、オレフィン系、ポリエステル系不織布、さらには高分子吸収ポリ
マーを混合しても良い。効率良く水分を吸収し保持することが出来る。裏面は防
水性のあるオレフィン系フィルムをラミネートし、水分の下への浸透を防いでい
る。
【００１２】
図３は、両面粘着シート３の平面図である。両面粘着シート３は、洋式便器本体
上面周縁部に設置し、便器本体と吸水カバーシートの固定に使用する。両面に粘
着材を配置し、アクリル系、塩ビ、エラストマー等を使用する。これらの粘着材
は、再剥離性能を有し、接着対象に接着材が残り難いグレードを使用する。両面
粘着シート３の使用前の状態は、表裏面に剥離フィルム配置され保護されていて、
取り付け時に剥がして使用する。両面粘着シート３を便器本体上面周縁部に固定
する際に、便器本体の外周周縁部と内面周縁部に折り込んで密着し易い様に、両
面粘着シート３の内外周に内外スリット３ａと折れ目線３ｂが配置されている。
【００１３】
図４は  洋式便器本体４に吸水床面シート１を設置した斜視図である。吸水床面
シート１が、便器本体足部４ｄを囲んで床面に設置され、深いＵ字形打抜き部１
ａにより、便器本体４の後方奥迄吸水床面シート１が挿入されている。手前方向
も広くカバーし床面への尿汚れを広範囲でカバーできる。便器本体４は、両面粘
着シートを固定する便器本体上面周縁部４ａ、上面周縁部に連なる外周周縁部４
ｂと内面周縁部４ｃを形成しているので、粘着両面シートは上面周縁部４ａに固
定するだけでなく、外周周縁部４ｂと内面周縁部４ｃにも折り込んで密着するこ
とが出来る。
【００１４】
図５は、洋式便器本体４の上面周縁部４ａに両面粘着シート３を固定設置した状
態の斜視図である。両面粘着シート３は、粘着材で便器本体上面周縁部４ａに固
定され、さらに外周周縁部４ｂと内面周縁部４ｃに折り込んで密着して固定され
ている。両面粘着シート３の内外周に配置された内外スリット３ａと折れ目線３
ｂにより密着固定効果を高めている。
【００１５】
図６は、洋式便器本体４に吸水カバーシート２を設置した状態の斜視図である。
吸水床面シート１と両面粘着シート３と吸水カバーシート２を設置した、洋式ト
イレフルカバーシートの使用時の状態である。吸水カバーシート２は、両面粘着
シート３の上から便器本体開口部４ｅの便器本体上面周縁部４ａ位置に吸水カバ
ーシートＵ字形打抜き部１ａを合わせて設置固定され、さらに両面粘着シート３
が便器本体外周周縁部４ｂに折り込まれているので、吸水カバーシート３が、外
周周縁部４ｂの両面粘着シート３に密着し、便器本体４の下方垂直方向に導かれ、
垂れて吸水床面シート１まで届いて覆っている。この状態により、飛び散った尿
は、吸水床面シート１と吸水カバーシート２に捕獲され床面に届くことはなく、
伝い洩れ等により滲んで浸透することもない。又吸水カバーシート２は垂直方向
に垂れて前方には広がらないので、立って小便をする場合や座って使用する場合
でも、吸水カバーシート２を足で踏まずに使用出来る。吸水カバーシート２が足
で踏まれないので、引っ張られたり、ズレたり、脱落が発生し難く、尿の滲み洩
れも防ぐことが出来る。
【００１６】
図７は、吸水カバーシート２を設置した状態の平面図である。設置した吸水カバ
ーシート２の設置状況と便器本体４と吸水床面シート１との位置関係を表してい
る。吸水カバーシート２の楕円形状打抜き部２ａが、便器本体開口部４ｅの位置
にあわせて設置されている。洋式トイレフルカバーシートの使用時の状態で、床
面７の広範囲と、便器本体開口部４ｅを除いた便器本体４を完全に被覆している
が、立って小便をする場合でも、座って使用する場合でも、両面粘着シート３が
便器本体上面周縁部４ａから外周周縁部４ｂに折り込まれているので、吸水カバ
ーシート２が外周周縁部４ｂの両面粘着シート３に密着し、垂直方向に垂れるの
で吸水カバーシート２は足で踏むことが無い位置に収まっている。
【００１７】
図８は、洋式トイレフルカバーシートを、洋式便器本体４に設置した状態の構造
断面図である。吸水床面シート１と吸水カバーシート２と両面粘着シート３の設
置状況と位置関係を表している。吸水床面シート１は、便器本体足部４ｄを囲う
ように後方奥の床面７迄挿入され、吸水カバーシート２は、蓋６、便座５を除き
便器本体４を覆って床面７に垂れて着いている。両面粘着シート３は、便器本体
上面周縁部４ａに設置され、吸水カバーシート２との固定状態を示している。
【００１８】
図９は、両面粘着シート３の構成断面図である。中間層３ｃは、ポリエステル系
不織布、オレフィン系不織布か発泡体、ポリウレタン等柔らかく弾力性のある素
材を使用し、表裏粘着層３ｄは、アクリル系、エラストマー系、塩ビ系等再剥離
できる粘着材を使用し、表裏表面層３ｅは剥離シートで、ポリオレフィン、ポリ
エステル系フィルム及び紙等から構成される。
【符号の説明】
【００１９】
１      吸水床面シート
１ａ    Ｕ字形打抜き部
２      吸水カバーシート
２ａ    楕円形状打抜き部
２ｂ    内円スリット
２ｃ    上部スリット
３      両面粘着シート
３ａ    内外スリット
３ｂ    折れ目線
３ｃ    中間層
３ｄ    粘着層
３ｅ    表面層
４      便器本体
４ａ    上面周縁部
４ｂ    外周周縁部
４ｃ    内面周縁部
４ｄ    足部
４ｅ    開口部
５      便座  
６      蓋
７      床面
【図１】
2020198923.tif 000003
【図２】
2020198923.tif 000004
【図３】
2020198923.tif 000005
【図４】
2020198923.tif 000006
【図５】
2020198923.tif 000007
【図６】
2020198923.tif 000008
【図７】
2020198923.tif 000009
【図８】
2020198923.tif 000010
【図９】
2020198923.tif 000011